(57)【特許請求の範囲】
【請求項１】
記録媒体に記録されているディジタル記録情報を読み出した再生信号のエンベロープを常に一定に制御するＡＧＣ回路と、
前記ＡＧＣ回路から出力された再生信号からゼロレベルを検出するゼロレベル検出器と、
前記ゼロレベル検出器により検出されたゼロレベルに基いて前記ＡＧＣ回路から出力された再生信号を２値化する２値化回路と、
前記２値化回路から出力された２値化信号に基いて、ＤＣ成分が除去された再生信号のゼロクロスタイミングから１８０度位相のずれた点を標本化点とするようなビット同期クロックを生成するＰＬＬ回路と、
前記ＡＧＣ回路から出力された再生信号を前記ビット同期クロックの立ち下がりで標本化するＡ／Ｄ変換器と、
前記Ａ／Ｄ変換器の出力信号の波形を等化するディジタル等化器と、
前記ディジタル等化器の出力信号からビタビ復号で用いる予測値を生成する予測値生成回路と、
前記予測値を用いて前記ディジタル等化器の出力信号であるディジタルデータを最尢復号するビタビ復号器とを備え、
前記予測値生成回路は、
前記ディジタル等化器の出力であるディジタルデータの系列から所定個の平均値を検出する平均値検出器と、
前記所定個の標準偏差を計算する標準偏差検出器と、
前記平均値及び前記標準偏差に基いて複数種類の予測値を計算する予測値計算回路とを有する
ことを特徴とする情報再生装置。
【請求項２】
記録媒体に記録されているディジタル記録情報を読み出した再生信号のエンベロープを常に一定に制御するＡＧＣ回路と、
前記ＡＧＣ回路から出力された再生信号からゼロレベルを検出するゼロレベル検出器と、
前記ゼロレベル検出器により検出されたゼロレベルに基いて前記ＡＧＣ回路から出力された再生信号を２値化する２値化回路と、
前記２値化回路から出力された２値化信号に基いて、ＤＣ成分が除去された再生信号のゼロクロスタイミングから１８０度位相のずれた点を標本化点とするようなビット同期クロックを生成するＰＬＬ回路と、
前記ＡＧＣ回路から出力された再生信号を前記ビット同期クロックの立ち下がりで標本化するＡ／Ｄ変換器と、
前記Ａ／Ｄ変換器の出力信号の波形を等化するディジタル等化器と、
前記ディジタル等化器の出力信号からビタビ復号で用いる予測値を生成する予測値生成回路と、
前記予測値を用いて前記ディジタル等化器の出力信号であるディジタルデータを最尢復号するビタビ復号器とを備え、
前記予測値生成回路は、
前記ディジタル等化器の出力であるディジタルデータの系列から所定個の平均値を検出する平均値検出器と、
前記所定個の標準偏差を計算する標準偏差検出器と、
前記平均値及び前記標準偏差に基いて複数種類の予測値を計算する予測値計算回路と、
外部から設定される予測値を記憶する予測値記憶回路と、
外部からの指示に基づいて前記予測値記憶回路からの設定予測値又は前記予測値計算回路からの計算予測値を選択する予測値選択回路とを有する
ことを特徴とする情報再生装置。
【発明の詳細な説明】
【０００１】
【発明の属する技術分野】
この発明は、ＣＤやＤＶＤ等に記録したディジタル記録情報を再生する情報再生装置に関するものである。
【０００２】
【従来の技術】
従来の情報再生装置について図面を参照しながら説明する。図１０は、例えば特開平１１−２０３７９５号公報に示された従来の情報再生装置の構成を示すブロック図である。
【０００３】
図１０において、１１はＡＧＣ回路（可変ゲイン増幅器）、１２は波形等化器、１３はＡ／Ｄ変換器、１４はレベル調整回路、１５は予測値生成回路、１６はビタビ復号器、１７はゼロレベル検出器、１８は２値化回路、１９はＰＬＬ回路である。
【０００４】
従来の情報再生装置においては、再生ＲＦ信号は、ＡＧＣ回路１１でそのエンベロープの振幅が一定になるように調整された後、波形等化器１２で波形歪みが補正され、Ａ／Ｄ変換器１３においてディジタルデータに変換される。
【０００５】
レベル調整回路１４は、波形等化器１２の出力から最大値と最小値を検出し、デジタルデータのエンベロープの振幅を一定にするためのＡＧＣ回路１１の設定値を生成する回路である。
【０００６】
このＡ／Ｄ変換器１３の出力であるデジタルデータから予測値生成回路１５において５値の予測値が生成され、ビタビ復号器１６においてこの予測値を基に、上記デジタルデータがビタビ復号され、再生符号系列が生成される。
【０００７】
このとき、Ａ／Ｄ変換器１３で変換に使われるビット同期クロックは、スライスレベル（ゼロレベル）を検出するゼロレベル検出器１７の出力をレファレンスとして、２値化回路１８で波形等化器１２出力を２値化された２値化信号を基に、ＰＬＬ回路１９においてゼロクロスタイミング（２値化信号の立ち上がり及び立ち下がりエッジ）に同期するようにして生成される。
【０００８】
図１１は、Ａ／Ｄ変換器１３におけるサンプリングタイミングと波形等化後のＲＦ信号のアイパターンとの関係を示したものである。
【０００９】
このように、従来の情報再生装置においては、サンプリング点は、図１１に示すように、ゼロクロスポイントに同期するように調整されている。このため、ビタビ復号器１６のブランチメトリック計算に使用される予測値も、０と＋、−といった３種類の信号や、図１１のようなレベルＵ、ＭＵ、０、−ＭＬ、−Ｌといった５種類の信号のように、ゼロレベルを含む奇数の数の信号が用いられてきた。
【００１０】
しかしながら、再生信号の本来の情報点は、ゼロクロスポイントではなく、この点から１８０度ずれた位置であり、従来の情報再生装置におけるビタビ復号では、本来の情報点の情報を使えないという問題があった。
【００１１】
図１２は、比較的良好な条件で実際のＤＶＤを読み取ったＲＦ信号において、ゼロクロスポイントでの標本点のレベル分布（ａ）とゼロクロスから１８０度ずれたポイントでの標本点でのレベル分布（ｂ）の一例を示す。
【００１２】
ゼロクロスから１８０度ずれたポイントでの標本点を用いた場合では、図１２（ｂ）に示すように、６種の山ができ、特に中央の２つの山はピークが鋭くなっているのに対し、ゼロクロスポイントと同期した標本点を用いた場合では、図１２（ａ）に示すように、ゼロレベルの山以外はピークが２つの別れたり、分布が周囲に広がったりしている。
【００１３】
ビタビ復号においては、予測値と入力値の距離や二乗誤差を測度にブランチメトリックを計算し、その累積であるパスメトリックを最小になるパスを順次選択することによって最尢復号が行われることから、このことは、従来の情報再生装置でのビタビ復号を行う際のＳ／Ｎ−ＢＥＲ特性を劣化させる原因となっている。
【００１４】
【発明が解決しようとする課題】
上述したような従来の情報再生装置では、本来の情報点の情報を使えないため、ＤＶＤの高密度ディスクなど十分なＳ／Ｎ比がとれないような場合には信頼性の高いディジタルデータを得ることが難しいという問題点があった。
【００１５】
この発明は、前述した問題点を解決するためになされたもので、装置の大型化や大幅なコストアップなしに、Ｓ／Ｎ特性の優れた復号処理ができ、再生ＲＦ信号のＳ／Ｎ比が低い信号に対しても良好な復号を可能とする情報再生装置を得ることを目的とする。
【００１６】
【課題を解決するための手段】
この発明の請求項１に係る情報再生装置は、記録媒体に記録されているディジタル記録情報を読み出した再生信号のエンベロープを常に一定に制御するＡＧＣ回路と、前記ＡＧＣ回路から出力された再生信号からゼロレベルを検出するゼロレベル検出器と、前記ゼロレベル検出器により検出されたゼロレベルに基いて前記ＡＧＣ回路から出力された再生信号を２値化する２値化回路と、前記２値化回路から出力された２値化信号に基いて、ＤＣ成分が除去された再生信号のゼロクロスタイミングから１８０度位相のずれた点を標本化点とするようなビット同期クロックを生成するＰＬＬ回路と、前記ＡＧＣ回路から出力された再生信号を前記ビット同期クロックの立ち下がりで標本化するＡ／Ｄ変換器と、前記Ａ／Ｄ変換器の出力信号の波形を等化するディジタル等化器と、前記ディジタル等化器の出力信号からビタビ復号で用いる予測値を生成する予測値生成回路と、前記予測値を用いて前記ディジタル等化器の出力信号であるディジタルデータを最尢復号するビタビ復号器とを備え、前記予測値生成回路は、前記ディジタル等化器の出力であるディジタルデータの系列から所定個の平均値を検出する平均値検出器と、前記所定個の標準偏差を計算する標準偏差検出器と、前記平均値及び前記標準偏差に基いて複数種類の予測値を計算する予測値計算回路とを有するものである。
【００１７】
この発明の請求項２に係る情報再生装置は、記録媒体に記録されているディジタル記録情報を読み出した再生信号のエンベロープを常に一定に制御するＡＧＣ回路と、前記ＡＧＣ回路から出力された再生信号からゼロレベルを検出するゼロレベル検出器と、前記ゼロレベル検出器により検出されたゼロレベルに基いて前記ＡＧＣ回路から出力された再生信号を２値化する２値化回路と、前記２値化回路から出力された２値化信号に基いて、ＤＣ成分が除去された再生信号のゼロクロスタイミングから１８０度位相のずれた点を標本化点とするようなビット同期クロックを生成するＰＬＬ回路と、前記ＡＧＣ回路から出力された再生信号を前記ビット同期クロックの立ち下がりで標本化するＡ／Ｄ変換器と、前記Ａ／Ｄ変換器の出力信号の波形を等化するディジタル等化器と、前記ディジタル等化器の出力信号からビタビ復号で用いる予測値を生成する予測値生成回路と、前記予測値を用いて前記ディジタル等化器の出力信号であるディジタルデータを最尢復号するビタビ復号器とを備え、前記予測値生成回路が、前記ディジタル等化器の出力であるディジタルデータの系列から所定個の平均値を検出する平均値検出器と、前記所定個の標準偏差を計算する標準偏差検出器と、前記平均値及び前記標準偏差に基いて複数種類の予測値を計算する予測値計算回路と、外部から設定される予測値を記憶する予測値記憶回路と、外部からの指示に基づいて前記予測値記憶回路からの設定予測値又は前記予測値計算回路からの計算予測値を選択する予測値選択回路とを有するものである。
【００２１】
【発明の実施の形態】
実施の形態１．
この発明の実施の形態１に係る情報再生装置について図面を参照しながら説明する。図１は、この発明の実施の形態１に係るＤＶＤ再生装置等の情報再生装置のフロントエンド部分の構成を示すブロック図である。なお、各図中、同一符号は同一又は相当部分を示す。
【００２２】
図１において、１は再生ＲＦ信号のエンベロープの振幅が一定になるように調整するためのＡＧＣ回路（可変ゲイン増幅器）、２はこのレベル調整された再生ＲＦ信号をディジタルデータに変換するＡ／Ｄ変換器、３は受信ＲＦ信号の波形を等化するためのディジタル等化器、４はこのディジタル等化器３の出力を受けて再生ＲＦ信号のエンベロープの振幅が一定になるようにＡＧＣ回路１にゲイン指示を行うレベル調整回路である。
【００２３】
また、同図において、５はディジタル等化器３の出力を受けて、ビタビ復号の際の予測値を生成する予測値生成回路、６はこれを用いてディジタル等化器３の出力であるディジタルデータを最尢復号するビタビ復号器、７はレベル調整された再生ＲＦ信号を受けてゼロレベルを検出するゼロレベル検出器、８はこのゼロレベル検出器７の出力をレファレンスに、レベル調整された再生ＲＦ信号を２値化する２値化回路、９はこの２値化回路８の出力をもとに、サンプリング点を決めるＡ／Ｄ変換器２のクロック（ビット同期クロック）をゼロクロスタイミング２値化信号の立ち上がり及び立ち下がりエッジから１８０度ずれた点にするＰＬＬ回路である。
【００２４】
図２は、この実施の形態１に係る情報再生装置の予測値生成回路の内部構成を示すブロック図である。
【００２５】
図２において、５１はディジタル等化器３の出力であるディジタルデータの系列から所定の期間の最大値と最小値を検出するピーク検出器、５２はこの出力である最大値と最小値の中央値を計算する中央値検出器、５３は最大値と最小値の差であるダイナミックレンジを検出する最大振幅検出器、５４はこれら出力を受けビタビ復号器６にｘ+、ｘ-、ｙ+、ｙ-の４種類の予測値を出力する予測値計算回路である。
【００２６】
図３は、この実施の形態１に係る情報再生装置のＰＬＬ回路の内部構造とその動作を示す図である。
【００２７】
図３において、９１は２値化回路８の出力の立ち上がりエッジとビット同期クロックの位相を検出する位相検出器、９２はこの出力を基にチャージの注入と引き込みを行うチャージポンプ、９３はチャージを蓄えるコンデンサ、９４はこのコンデンサ９３の電圧に応じて発信周波数を変化させるＶＣＯである。
【００２８】
つぎに、この実施の形態１に係る情報再生装置の動作について図面を参照しながら説明する。
【００２９】
まず、ピックアップ部より送られてくる再生ＲＦ信号は、ＡＧＣ回路１でエンベロープの振幅が一定に調整され、Ａ／Ｄ変換器２でディジタルデータに変換される。ここでサンプリング点は後述のようにゼロクロスポイントから１８０度ずれた位置となる。図４は、Ａ／Ｄ変換器２におけるサンプリングタイミングと再生ＲＦ信号のアイパターンの関係を示す。
【００３０】
このディジタルデータは、ディジタル等化器３で減衰している高域成分が補償される。ディジタル等化器３は、ディジタルフィルタで構成されており、以下にそのフィルタ係数の一例を示す。
【００３１】
伝達関数Ｈ＝−０．１７＋１．３４＊Ｚ-2−０．１７＊Ｚ-4
【００３２】
予測値生成回路５では、このディジタル等化器３の出力を受けて、ピーク検出器５１で所定期間中の最大値ＭＡＸと最小値ＭＩＮが検出され、中央値検出器５２並びに最大振幅検出器５３において下記に示す中央値ＣＥＮＴＥＲとダイナミックレンジＰ＿Ｐが計算される。
【００３３】
中央値ＣＥＮＴＥＲ＝（ＭＡＸ＋ＭＩＮ）／２
振幅Ｐ＿Ｐ＝ＭＡＸ−ＭＩＮ
【００３４】
予測値計算回路５４では、ビタビ復号に使用される４種類の予測値が計算される。以下に、その一例を示す。
【００３５】
ｙ+＝ＣＥＮＴＥＲ＋０．３＊Ｐ＿Ｐ
ｘ+＝ＣＥＮＴＥＲ＋０．１＊Ｐ＿Ｐ
ｘ-＝ＣＥＮＴＥＲ−０．１＊Ｐ＿Ｐ
ｙ-＝ＣＥＮＴＥＲ−０．３＊Ｐ＿Ｐ
【００３６】
ビタビ復号器６では、この４種類の予測値を用いて、各ディジタルデータ毎に最尢復号が行われ、ブランチメトリックか計算される。
【００３７】
本実施の形態１に係るＤＶＤ装置においては、符号データはパケット構造に構成された後、誤り訂正符号が付加され、さらに８−１６変調が施された後にＮＲＺＩ方式で記録されている。この８−１６変調において、ランレングスＲＬは３Ｔ（Ｔは変調間隔）以上に制限されており、上記４予測値を用いたトレリス線図並びに状態遷移図は、図５（ａ）及び（ｂ）の様になる。
【００３８】
図５に示すように、拘束条件としては、ランレングスＲＬが３以上ということから、下記の条件を使用する。
【００３９】
（１）ゼロクロスの際には、予測値ｘ+、ｘ-を用いる状態を経由する。
立ち上がり時（０＞１）：状態１と状態２
立ち下がり時（１＞０）：状態４と状態５
【００４０】
（２）ｘ+を通った後には必ず１回以上ｙ+を通過してゼロレベルの−側に遷移し、ｘ-を通った後には必ず１回以上ｙ-を経由してゼロレベルの＋側に遷移する。
＋側：状態２＞状態３（最低１回）＞状態４＞状態５
−側：状態５＞状態０（最低１回）＞状態１＞状態２
【００４１】
一方、ブランチメトリックの測度としては、符号化データの情報はゼロクロスのタイミングに乗せられており、標本点がゼロレベルの＋側にあるか−側にあるかが重要であるので、ビタビ復号器６の入力をｉｎとしたとき、
0003824204.tif 000002
を用いる。
【００４２】
次に、サンプリングタイミングの調整動作について、説明する。
【００４３】
ＰＬＬ回路９では、図３に示すように、位相検出器９１において２値化回路８の出力の立ち上がりとビット同期クロックの位相が比較され、立ち上がりがビット同期クロックの立ち上がりより進んでいる場合（２値化回路出力と、それをビット同期クロックの立ち下がりでサンプリングした信号との差信号の幅がビット同期クロック周期の１／２より大きい場合）、第１の出力Ｐにその遅延時間に応じた幅のパルスが出力され、立ち上がりがビット同期クロックの立ち上がりより遅れている場合（２値化回路出力と、それをビット同期クロックの立ち下がりでサンプリングした信号との差信号の幅がビット同期クロック周期の１／２より小さい場合）、第２の出力Ｎにその進み時間に応じた幅のパルスが出力される。
【００４４】
この２つの信号Ｐ、Ｎはチャージポンプ９２に送られ、前者の場合、そのパルス幅の間コンデンサ９３にチャージが注入されその結果、２値化回路８の出力立ち上がりの進み量に比例した量だけその電圧が上昇、逆に後者の場合コンデンサ９３のチャージが抜き取られその結果、同じく遅れ量に比例した量だけその電圧が低下する。
【００４５】
これにより、前者の場合、ＶＣＯ９４で発振されるビット同期クロックの周波数がごくわずか上がり、相対的に２値化回路８の出力の立ち上がりが遅れる方向に変化することとなる。後者の場合、ＶＣＯ９４で発振されるビット同期クロックの周波数がごくわずか下がり、相対的に２値化回路８の出力の立ち上がりが進む方向に変化することとなる。
【００４６】
このような機構により、２値化回路８の出力の立ち上がりとビット同期クロックの立ち上がりタイミングを一致させることが出来る。
【００４７】
一方、Ａ／Ｄ変換器２は、ビット同期クロックの立ち下がりでサンプリングが行われるようになっており、これによりゼロクロスポイントから１８０度ずれたポイントでの標本化が行われることとなる。
【００４８】
なお、上記２値化回路８でレベル調整された再生ＲＦ信号の２値化に用いるスライスレベル（ゼロレベル）に、変調周波数より十分い低いカットオフ周波数をもつアナログＬＰＦより構成されるゼロレベル検出器７により検出されたゼロレベルを用いることにより、回路構成上発生するオフセットや、一時的なゼロレベルの変動の影響を受けない、正確なタイミングの再生が可能になる。
【００４９】
以上のように、再生ＲＦ信号の標本化を、本来の情報点で行うようにし、かつ、ビタビ復号におけるブランチメトリックの測度をゼロレベルから大きく離れた予測値については押さえるようにしたので、Ｓ／Ｎ特性の優れた復号処理ができ、再生ＲＦ信号のＳ／Ｎ比が低い信号に対しても良好な復号を可能になる。
【００５０】
さらに、ゼロレベルを再生ＲＦ信号から検出するとともに、予測値についても再生ＲＦ信号の最大・最小値や中央値により変化させるように構成しているので、一時的なダイナミックレンジの変動や、オフセットに強いデジタルデータの復号が実現できる。
【００５１】
すなわち、この実施の形態１に係る情報再生装置は、ビタビ復号のブランチメトリック計算において、予測値に応じて異なる測度を用いるものである。また、ビタビ復号のブランチメトリック計算において、ディジタル等化器３の出力信号レベルが予め定められた範囲にある場合は、誤差を軽減するものである。さらに、ビタビ復号器６において、信号がゼロクロスの前および後ろに、予め定められた予測値を通ることを拘束条件とするものである。つまり、ビタビ復号器６において、ｘ+とｘ-のほかにゼロレベルの＋側の予測値ｙ+および−側の予測値ｙ-を持ち、ｘ+を通った後には必ず１回以上ｙ+を通過してゼロレベルの−側に遷移し、ｘ-を通った後には必ず１回以上ｙ-を経由してゼロレベルの＋側に遷移することを拘束条件とするものである。
【００５２】
実施の形態２．
上記の実施の形態１では、予測値生成にダイナミックレンジとピーク平均値を用いたが、ノイズなどの影響でダイナミックレンジが見かけ上大きく成ってしまうような場合に対応する実施の形態を示す。
【００５３】
この発明の実施の形態２に係る情報再生装置について図面を参照しながら説明する。図６は、この発明の実施の形態２に係る情報再生装置の構成を示す図である。
【００５４】
図６において、５５は平均値検出器、５６は標準偏差検出器、５４は図２同様、予測値計算回路である。
【００５５】
本実施の形態２では、ディジタル等化器３の出力の所定個の信号の平均値ＡＶＥと、標準偏差σが計算され、４種類の予測値が、
ｙ+＝ＡＶＥ＋σ、
ｘ+＝ＡＶＥ＋０．４＊σ、
ｘ-＝ＡＶＥ−０．４＊σ、
ｙ-＝ＡＶＥ−σ
により計算される。その他の部分は実施形態１と同一である。
【００５６】
本実施の形態２においても、上記の実施の形態１と同様に、Ｓ／Ｎ特性の優れた復号処理ができ、再生ＲＦ信号のＳ／Ｎ比が低い信号に対しても良好な復号を可能になる。
【００５７】
実施の形態３．
他の実施の形態として、ディジタル等化器３の出力のヒストグラムを利用して予測値を生成する形態も可能である。
【００５８】
この場合、離散化されたディジタル等化器３の出力から図１２（ｂ）に示すようなヒストグラムを生成、ゼロレベルより上の第１頻度のレベル値をｘ+とし、第２頻度のレベルをｙ+とし、ゼロレベルより下の第１頻度のレベル値をｘ-とし、第２頻度のレベルをｙ-にすることで上記同様Ｓ／Ｎ特性の優れた復号処理ができ、再生ＲＦ信号のＳ／Ｎ比が低い信号に対しても良好な復号を可能になる。
【００５９】
実施の形態４．
以上の各実施の形態では、予測値の設定に、再生ＲＦ信号から作成されたディジタル等化器の出力から逐次計算された値を用いたが、装置動作開始時の動作を安定させるために、制御回路から設定された数値を利用する方法も考えられる。
【００６０】
この発明の実施の形態４に係る情報再生装置について図面を参照しながら説明する。図７は、この発明の実施の形態４に係る情報再生装置の予測値生成回路の構成を示すブロック図である。
【００６１】
図７において、平均値検出器５５、標準偏差検出器５６、予測値計算回路５４は図６に示す実施の形態２と同一である。また、５７はＤＶＤ再生装置の動作を制御する制御部のＣＰＵ（図示せず）から設定される予測値の設定値の組を記憶する予測値記憶回路、５８はこの予測値記憶回路５７の出力と予測値計算回路５４の出力を選択する予測値選択回路である。
【００６２】
本実施の形態４においては、ＣＰＵは、ＤＶＤを再生する動作を開始する際には、まず、予測値記憶回路５７にあらかじめ決められた予測値の組を設定すると同時に、予測値選択回路５８に対し、予測値記憶回路５７の出力を選択するように指示を行い、ＤＶＤの再生を開始する。
【００６３】
ある程度の正常な復調が可能になった段階で、ＣＰＵは、一時的な信号レベル変動などに対応し易くするため、予測値選択回路５８に予測値計算回路５４の出力を選択するように指示する。
【００６４】
本実施の形態４においては、上記の各実施の形態と同様に、Ｓ／Ｎ特性の優れた復号処理ができ、再生ＲＦ信号のＳ／Ｎ比が低い信号に対しても良好な復号を可能であり、しかも、ＤＶＤ再生の動作開始時においてより安定な動作が可能となる。
【００６５】
実施の形態５．
ブランチメトリックの計算において上記実施の形態では、誤差測度として二乗誤差を持ちいているが、予測値との絶対値の差を用いることにより、より回路規模が少なく、かつ上記同様の効果を持った装置が実現できる。
【００６６】
実施の形態６．
上記実施の形態では、予測値として４組の値を用いたが、６組あるいは８組の予測値を利用いることが出来ることは言うまでもない。６個の予測値を用いたトレリス線図、及び状態遷移図を図８及び図９に示す。
【００６７】
本実施の形態６においては、ゼロクロスから離れた状態での遷移をより正確に評価可能であり、上記同様、Ｓ／Ｎ特性の優れた復号処理ができ、再生ＲＦ信号のＳ／Ｎ比が低い信号に対しても良好な復号を可能であり、しかも、ＤＶＤ再生の動作開始時においてより安定な動作が可能となる。
【００６８】
【発明の効果】
この発明の請求項１に係る情報再生装置は、以上説明したとおり、記録媒体に記録されているディジタル記録情報を読み出した再生信号のエンベロープを常に一定に制御するＡＧＣ回路と、前記ＡＧＣ回路から出力された再生信号からゼロレベルを検出するゼロレベル検出器と、前記ゼロレベル検出器により検出されたゼロレベルに基いて前記ＡＧＣ回路から出力された再生信号を２値化する２値化回路と、前記２値化回路から出力された２値化信号に基いて、ＤＣ成分が除去された再生信号のゼロクロスタイミングから１８０度位相のずれた点を標本化点とするようなビット同期クロックを生成するＰＬＬ回路と、前記ＡＧＣ回路から出力された再生信号を前記ビット同期クロックの立ち下がりで標本化するＡ／Ｄ変換器と、前記Ａ／Ｄ変換器の出力信号の波形を等化するディジタル等化器と、前記ディジタル等化器の出力信号からビタビ復号で用いる予測値を生成する予測値生成回路と、前記予測値を用いて前記ディジタル等化器の出力信号であるディジタルデータを最尢復号するビタビ復号器とを備え、前記予測値生成回路は、前記ディジタル等化器の出力であるディジタルデータの系列から所定個の平均値を検出する平均値検出器と、前記所定個の標準偏差を計算する標準偏差検出器と、前記平均値及び前記標準偏差に基いて複数種類の予測値を計算する予測値計算回路とを有するので、装置の大型化や大幅なコストアップなしに、Ｓ／Ｎ特性の優れた復号処理ができ、再生ＲＦ信号のＳ／Ｎ比が低い信号に対しても良好な復号を可能とするという効果を奏する。
【００６９】
この発明の請求項２に係る情報再生装置は、以上説明したとおり、記録媒体に記録されているディジタル記録情報を読み出した再生信号のエンベロープを常に一定に制御するＡＧＣ回路と、前記ＡＧＣ回路から出力された再生信号からゼロレベルを検出するゼロレベル検出器と、前記ゼロレベル検出器により検出されたゼロレベルに基いて前記ＡＧＣ回路から出力された再生信号を２値化する２値化回路と、前記２値化回路から出力された２値化信号に基いて、ＤＣ成分が除去された再生信号のゼロクロスタイミングから１８０度位相のずれた点を標本化点とするようなビット同期クロックを生成するＰＬＬ回路と、前記ＡＧＣ回路から出力された再生信号を前記ビット同期クロックの立ち下がりで標本化するＡ／Ｄ変換器と、前記Ａ／Ｄ変換器の出力信号の波形を等化するディジタル等化器と、前記ディジタル等化器の出力信号からビタビ復号で用いる予測値を生成する予測値生成回路と、前記予測値を用いて前記ディジタル等化器の出力信号であるディジタルデータを最尢復号するビタビ復号器とを備え、前記予測値生成回路が、前記ディジタル等化器の出力であるディジタルデータの系列から所定個の平均値を検出する平均値検出器と、前記所定個の標準偏差を計算する標準偏差検出器と、前記平均値及び前記標準偏差に基いて複数種類の予測値を計算する予測値計算回路と、外部から設定される予測値を記憶する予測値記憶回路と、外部からの指示に基づいて前記予測値記憶回路からの設定予測値又は前記予測値計算回路からの計算予測値を選択する予測値選択回路とを有するので、装置の大型化や大幅なコストアップなしに、Ｓ／Ｎ特性の優れた復号処理ができ、再生ＲＦ信号のＳ／Ｎ比が低い信号に対しても良好な復号を可能とするという効果を奏する。
【図面の簡単な説明】
【図１】  この発明の実施の形態１に係る情報再生装置の構成を示すブロック図である。
【図２】  この発明の実施の形態１に係る情報再生装置の予測値生成回路の構成を示すブロック図である。
【図３】  この発明の実施の形態１に係る情報再生装置のＰＬＬ回路の構成及び動作を示す図である。
【図４】  この発明の実施の形態１に係る情報再生装置のサンプリングタイミングとアイパターンの関係を示す図である。
【図５】  この発明の実施の形態１に係る情報再生装置のトレリス線図と状態遷移を示す図である。
【図６】  この発明の実施の形態２に係る情報再生装置の予測値生成回路の構成を示すブロック図である。
【図７】  この発明の実施の形態４に係る情報再生装置の予測値生成回路の構成を示すブロック図である。
【図８】  この発明の実施の形態６に係る情報再生装置のトレリス線図を示す図である。
【図９】  この発明の実施の形態６に係る情報再生装置の状態遷移を示す図である。
【図１０】  従来の情報再生装置の構成を示すブロック図である。
【図１１】  従来の情報再生装置のサンプリングタイミングとアイパターンの関係を示す図である。
【図１２】  従来の情報再生装置のゼロクロスポイントでの標本点のレベル分布と、この発明に係る情報再生装置のゼロクロスから１８０度ずれたポイントでの標本点でのレベル分布を示す図である。
【符号の説明】
１  ＡＧＣ回路、２  Ａ／Ｄ変換器、３  ディジタル等化器、４  レベル調整回路、５、５Ａ、５Ｂ  予測値生成回路、６  ビタビ復号器、７  ゼロレベル検出器、８  ２値化回路、９  ＰＬＬ回路、５１  ピーク検出器、５２  中央値検出器、５３  最大振幅検出器、５４  予測値計算回路、５５  平均値検出器、５６  標準偏差検出器、５７  予測値記憶回路、５８  予測値選択回路、９１  位相検出器、９２  チャージポンプ、９３  コンデンサ、９４  ＶＣＯ。
【図１】
0003824204.tif 000003
【図２】
0003824204.tif 000004
【図３】
0003824204.tif 000005
【図４】
0003824204.tif 000006
【図５】
0003824204.tif 000007
【図６】
0003824204.tif 000008
【図７】
0003824204.tif 000009
【図８】
0003824204.tif 000010
【図９】
0003824204.tif 000011
【図１０】
0003824204.tif 000012
【図１１】
0003824204.tif 000013
【図１２】
0003824204.tif 000014